(57)【要約】【課題】視野範囲の個人差およびマスク装置の装着ずれに関係なく、情報を視認し得るとともに小型化し得る防護マスク装置を提供する。【解決手段】消防士の顔の前面を覆うようにされた透明カバー体１１の下部に、その口および鼻を覆うようにされた空気呼吸器２が設けられた防護マスク装置において、この空気呼吸器２と空気供給管２３とを接続する接続部近傍である取付用管部２１に且つ透明カバー体１１の外側にて、取付体４を介して外部からの情報を表示する情報表示部５を前後方向で傾動自在に配置したものである。【選択図】図１
0003135775.tif 000002
【実用新案登録請求の範囲】
【請求項１】
装着者の視野範囲に情報を表示し得る情報表示部を備えた防護マスク装置において、
装着者の顔の前面を覆うようにされた透明カバー体の外側に且つ装着者の鼻の前方に上記情報表示部を配置したことを特徴とする防護マスク装置。
【請求項２】
装着者の顔の前面を覆うようにされた透明カバー体の下部に、装着者の口および鼻を覆うようにされた空気呼吸器が設けられた防護マスク装置において、
上記空気呼吸器と空気供給管とを接続する接続部近傍で且つ透明カバー体の外側に、情報を表示し得る情報表示部を配置したことを特徴とする防護マスク装置。
【請求項３】
情報表示部を取付体を介して接続部近傍に取り付けるとともに、この取付体を、接続部近傍への取付部材と、この取付部材に対して前後方向に傾動し得る可動部材とから構成するとともに、この可動部材に情報表示部を配置したことを特徴とする請求項２に記載の防護マスク装置。
【請求項４】
取付部材に対する可動部材の傾動角度を調節可能にしたことを特徴とする請求項３に記載の防護マスク装置。
【考案の詳細な説明】
【技術分野】
【０００１】
本考案は、例えば消防士などが装着する防護マスク装置に関するものである。
【背景技術】
【０００２】
例えば、消防士は火災現場すなわち猛煙の中で消火活動、人命救助などを行うため、空気ボンベを背負うとともに空気呼吸器を有する防護マスク装置を装着しており、このような状況下すなわち煙などにより視野が極度に低下している状態では、現場指揮本部から各消防士への情報の伝達が困難となる。
【０００３】
このような状況に対処するために、現場指揮本部からの指令などの情報を伝達するための情報表示部を内蔵した呼吸保護装置が提案されている（例えば、特許文献１参照）。
この呼吸保護装置すなわち保護マスク装置は、当該装置の装着者の視野範囲で且つサイトスクリーン内に言い換えれば透明カバー体の内側に、情報を表示し得る表示ユニットが配置されたものであった。
【特許文献１】実開昭６３−１３１６０号公報
【考案の開示】
【考案が解決しようとする課題】
【０００４】
上述した保護マスク装置によると、表示ユニットが透明カバー体の内側に配置されており、目に非常に近い位置であるため、その視野範囲（可視範囲）が狭くなるとともに視野範囲の個人差またはマスク装置の装着ずれなどにより、表示ユニットが見にくくなることがあり、したがって装着者による表示ユニットの位置調整が必要になってくる。
【０００５】
しかしながら、火災現場などで活動している消防士は、両手が使えない場合も多く、しかも透明カバー体内（所謂、マスク内）にある表示ユニットを外側から調整することは、容易でないという問題がある。
【０００６】
一方、ヘッド・アップ・ディスプレイのように、視野範囲全体にすなわち透明カバー体の全面に情報を表示することも考えられるが、その情報を見ようとすると、情報表示部と目との間に一定の距離が必要となるため、狭い透明カバー体の内側に情報表示部つまり画像表示部を配置するのが困難であるとともに、マスク装置自体が大型化するという問題も生じる。
【０００７】
そこで、本考案は、視野範囲の個人差およびマスク装置の装着ずれに関係なく、情報を見ることができるとともに小型化し得る防護マスク装置を提供することを目的とする。
【課題を解決するための手段】
【０００８】
上記課題を解決するため、本考案の請求項１に係る防護マスク装置は、装着者の視野範囲に情報を表示し得る情報表示部を備えた防護マスク装置において、
装着者の顔の前面を覆うようにされた透明カバー体の外側に且つ装着者の鼻の前方に上記情報表示部を配置したものである。
【０００９】
また、請求項２に係る防護マスク装置は、装着者の顔の前面を覆うようにされた透明カバー体の下部に、装着者の口および鼻を覆うようにされた空気呼吸器が設けられた防護マスク装置において、
上記空気呼吸器と空気供給管とを接続する接続部近傍で且つ透明カバー体の外側に、情報を表示し得る情報表示部を配置したものである。
【００１０】
また、請求項３に係る防護マスク装置は、請求項２に記載のマスク装置における情報表示部を取付体を介して接続部近傍に取り付けるとともに、この取付体を、接続部近傍への取付部材と、この取付部材に対して前後方向に傾動し得る可動部材とから構成するとともに、この可動部材に情報表示部を配置したものである。
【００１１】
さらに、請求項４に係る防護マスク装置は、請求項３に記載のマスク装置における取付部材に対する可動部材の傾動角度を調節可能にしたものである。
【考案の効果】
【００１２】
この構成によると、情報表示部を取付体を介して透明カバー体の外側に配置したので、装着者による情報表示部の位置・姿勢などを調節し得るとともに、視野範囲の個人差およびマスク装置の装着ずれに関係なく、情報を確実に見ることができる。
【００１３】
特に、情報表示部を取付部材に対して起倒自在にされた可動部材に配置したので、邪魔なときには倒しておくことができ、したがって装着者の視野（視界）を妨げるという心配はない。
【考案を実施するための最良の形態】
【００１４】
［実施の形態］
以下、本考案の実施の形態に係る防護マスク装置を、図１〜図４に基づき説明する。
本実施の形態においては、例えば消防士が装着（着用ともいう）する防護マスク装置について説明する。
【００１５】
この防護マスクは、図１に示すように、人（装着者）の顔の略全面を覆い得るマスク本体１と、このマスク本体１の下部に設けられた空気呼吸器２と、マスク本体１の外面の上部に配置された小型カメラ装置３と、同じくマスク本体１の外面下部に、より正確には、鼻の前方位置でマスク本体１側に取付体４を介して取り付けられて画像データおよび文字データなどの情報を表示し得る情報表示部（画像等表示部とも言うことができ、モニタとも言う）５とから構成されている。
【００１６】
なお、この防護マスク装置を使用するに際し、図４に示すように、空気ボンベ、現場指揮本部８および他の消防士との間で映像データ・音声データなどの情報の受け渡しを行うためのデータ通信装置６、並びにこのデータ通信装置６とカメラ装置３および情報表示部５との間に配置されて、画像データ・文字データなどの情報に対して所定の処理（例えば、表示するための処理など）を施すデータ処理部を有する端末装置７を必要とし、例えばデータ通信装置６および端末装置７については、消防士は例えば腰部に装着している。勿論、データ通信装置６を端末装置７に一体化したものでもよい。勿論、現場指揮本部８にも、データ通信装置９が設けられており、また現場指揮本部８は、消防署に設置される消防本部との間で通信を行い得るようにされている。
【００１７】
上記マスク本体１は、透明カバー体１１と、このカバー体１１の縁部に設けられて顔に対して密着性が良好な環状の当接部１２と、この当接部１２を消防士の頭に保持するための装着用バンド１３とから構成されている。
【００１８】
上記空気呼吸器２は、カバー体１１の下部位置で当該カバー体１１を貫通して固定された取付用管部（接続部近傍の一例であり、具体的には、口金部と呼ぶこともできる）２１と、この取付用管部２１のカバー体１１の内側に位置する内端部に接続されたマスク部（空気吸入部とも言える）２２とから構成されている。
【００１９】
また、図１〜図３に示すように、上記取付用管部２１のカバー体１１の外側で且つ手前寄り位置（鼻の前方位置）には、情報表示部５の取付用溝部（係合凹部とも言える）２１ａが形成されるとともに、その先端側には、消防士が背負っている空気ボンベからの空気を供給するための空気供給管（勿論、ホースなどの可撓管が用いられている）２３が接続されている。
【００２０】
また、上記取付体４は、取付用溝部２１ａに着脱可能に外嵌し得る溝付き円形穴部３１ａが形成された板状の取付部材３１と、この取付部材３１に起倒具（傾動具、揺動具とも言える）３２により例えば９０度でもって起立横倒自在（起倒自在または傾動自在とも言える）に支持された板状の可動部材３３とから構成され、またこの可動部材３３に上記情報表示部（具体的には、液晶表示部、有機ＥＬなどが用いられる）５が配置されている。また、この情報表示部５は、可動部材３３の内部に配置されて、火災などの熱から保護されている。したがって、可動部材３３は例えばポリカーボネイトなどの耐熱性ケースとして形成されるとともに、このケース内に情報表示部５が配置されるとともにその周囲は密閉状態に封止されている。
【００２１】
さらに、上記起倒具３２については、例えば水平姿勢（イ）および９０度立ち上がった起立姿勢（ロ）のいずれかの位置で簡易的に固定し得る機構（例えば、ばね機構、または出退ピンと係合穴とからなるものなど）を有するもので、消防士が手で水平姿勢または起立姿勢（つまり、可視範囲に傾動させる）に容易に変更し得るようにされている。勿論、９０度の間の任意の傾動角度で停止し得るものであってもよい。また、上記取付部材３１の取付用管部２１への取付構造は、例えば当該取付部材３１の円形穴部３１ａがその直径に沿って２分割構造にされて、その取付用溝部２１ａに上下から挟持し得るようにされている。勿論、２分割された上下の取付部材同士の連結は、例えばねじなどにより行われる。
【００２２】
なお、図１中、１０はカメラ装置３からの映像データを端末装置７に送るための送信用ケーブルで、カバー体１１の下部側方を貫通して設けられている。
上記構成において、火災が発生した場合、消防士は、火災現場に赴き、空気ボンベを背負うとともに端末装置７を腰部に装着するとともに防護マスク装置を顔に装着（着用）し、火災家屋などに立ち入り消火作業を行う。
【００２３】
そして、消火作業中においては、カバー体１１の前方（正確には、鼻の前方）の可動部材３３は水平姿勢（イ）に横倒されて、消火作業の邪魔にならないようにされる。
一方、消防士は、現場指揮本部８からの指令または他の消防士との間で火災状況などの情報の遣り取りを行う場合には、可動部材３３を起立姿勢（ロ）にすることにより、情報表示部５を目の前に位置させて情報を見易くすることができ、したがって情報の伝達を確実に行うことができる。なお、情報表示部５に表示される情報には、例えば自分が背負っている空気ボンベの残りの空気量および他の消防士からの撮影画像などが含まれる。
【００２４】
このように、情報表示部５を、マスク本体１１の下部の取付用管部２１に且つ上半部が傾動自在に設けられた可動部材３３に配置するとともにこの可動部材３３を横倒させることにより、消火作業時に視野（視界）の邪魔になるのを防止することができる。また、現場指揮本部８からの指令などの情報を見る必要がある場合には、可動部材３３を手前に起立させることにより、確実にその情報を見ることができる。
【００２５】
すなわち、情報表示部５を取付部材３１に対して起立横倒自在にされた可動部材３３に配置したので、消防活動時の視野（視界）を妨げることがないとともに、透明カバー体１１の外部に配置したので、透明カバー体１１を、言い換えれば保護マスク装置自体の小型化を図ることができる。
【００２６】
この構成によると、情報表示部を取付体を介して透明カバー体の外側に配置したので、装着者による情報表示部の位置・姿勢などを調節することができるとともに、視野範囲の個人差およびマスク装置の装着ずれに関係なく、情報を確実に見ることができる（視認し得る）。特に、情報表示部５を取付部材３１に対して起立横倒自在にされた可動部材３３に配置したので、邪魔なときには倒しておくことができ、したがって装着者の視野（視界）を妨げるという心配はない。
【００２７】
ところで、上記実施の形態においては、情報表示部５を取り付けている可動部材３３を起立横倒させる起倒具３２を手動式として説明したが、例えば自動式にしてもよい。この場合、取付部材３１に対して可動部材３３を起立横倒させる機構、例えばモータなどが具備されるとともに、その起立横倒動作は、例えば消防士が身に付けている操作ボックスなどから操作するようにしてもよく、またマスク本体１に消防士の目の動きを検知する検知手段を設けておき、消防士が、目を下に動かした場合には、可動部材３３を手前側に起こすように、また目を上に動かした場合には、可動部材３３を向こう側に倒すようにしてもよい。
【００２８】
また、上記実施の形態においては、情報表示部５を取付体４を介して取付用管部２１に取り付けるように説明したが、例えば透明カバー体１１側に取り付けることもできる。この意味で、情報表示部５を取り付ける部分を接続部近傍と言うことができる。
【００２９】
さらに、上記実施の形態においては、防護マスク装置を消防士用として説明したが、勿論、消防士以外の災害救助者などにも用いられるものである。
【図面の簡単な説明】
【００３０】
【図１】本考案の実施の形態に係る防護マスク装置の概略構成を示す斜視図である。
【図２】同防護マスク装置の要部側面図である。
【図３】図２のＡ−Ａ矢視図である。
【図４】同防護マスク装置における機器構成を示すブロック図である。
【符号の説明】
【００３１】
１      マスク本体
２      空気呼吸器
３      小型カメラ装置
４      取付体
５      情報表示部
６      データ通信装置
７      端末装置
８      現場指揮本部
９      データ通信装置
１１      透明カバー体
２１      取付用管部
２１ａ    取付用溝部
２２      マスク部
２３      空気供給管
３１      取付部材
３１ａ    円形穴部
３２      起倒具
３３      可動部材
【図１】
0003135775.tif 000003
【図２】
0003135775.tif 000004
【図３】
0003135775.tif 000005
【図４】
0003135775.tif 000006